(57)【要約】  【課題】汎用性に富む家具レイアウト表示装置を提供すること。  【解決手段】（a）家具が設置される部屋が所定の縮尺率で区画表示３１−３５されたパネル２０と、(b)実寸のベッドを前記縮尺率と同一の縮尺率で体現し、本体部４１及び前記本体部４１内に出没可能に収容されて前記本体部４１からの突出度が実際のベッド寸法を表示する表示体４２とを有し、前記区画表示３１−３５内に着脱自在に貼付されるベッド模型４０と、(c)ドアの開閉状態を前記縮尺率と同一の縮尺率で体現し、前記区画表示３１−３５内に着脱自在に貼付されるドア模型５０とを備える、家具レイアウト表示装置１０を構成した。【選択図】  図２
2008026957.tif 000002
【特許請求の範囲】
【請求項１】
（a）家具が設置される部屋が所定の縮尺率で区画表示されたパネルと、(b)実寸のベッドを前記縮尺率と同一の縮尺率で体現し、本体部及び前記本体部内に出没可能に収容されて前記本体部からの突出度が実際のベッド寸法を表示する表示体を有し、前記区画表示内に着脱自在に貼付されるベッド模型と、(c)ドアの開閉状態を前記縮尺率と同一の縮尺率で体現し、前記区画表示内に着脱自在に貼付されるドア模型とを備える、家具レイアウト表示装置。
【発明の詳細な説明】
【技術分野】
【０００１】
本発明は、家具レイアウト表示装置に関する。
【背景技術】
【０００２】
家具模型の配置が容易にできるレイアウト表示装置は、例えば、特許文献１に開示のものがある。このレイアウト表示装置は、発泡板やボード等を用いたフロアー模型形成板と、このフロアー模型形成板に切り抜き形成された室内空間と、この室内空間部分が凹部となるように、前記フロアー模型形成板の底面に固定されたベース板とで構成される。
【０００３】
このレイアウト表示装置によれば、室内に配置する家具模型を入れても、外部に移動するのを効率よく阻止でき、家具模型の紛失を効率よく阻止することができる。更には、家具模型を凹部に形成された室内空間に入れて移動して、フロアープランを考えることができる。
【特許文献１】特開２００４−１５１１５０号公報
【発明の開示】
【発明が解決しようとする課題】
【０００４】
特許文献１に開示されたレイアウト表示装置は、確かに、上記したように実用上多大な効果を奏するが、このメリットを享受できるのは、同じ間取りの建物やマンションを購入する人に限定され、汎用性に欠ける。
【０００５】
それ故に、本発明は、汎用性のある家具レイアウト表示装置を提供することを、その技術的課題とする。
【課題を解決するための手段】
【０００６】
上記の課題を解決するために講じた技術的手段は、請求項１に記載のように、
「（a）家具が設置される部屋が所定の縮尺率で区画表示されたパネルと、(b)実寸のベッドを前記縮尺率と同一の縮尺率で体現し、本体部及び前記本体部内に出没可能に収容されて前記本体部からの突出度が実際のベッド寸法を表示する表示体を有し、前記区画表示内に着脱自在に貼付されるベッド模型と、(c)ドアの開閉状態を前記縮尺率と同一の縮尺率で体現し、前記区画表示内に着脱自在に貼付されるドア模型とを備える、家具レイアウト表示装置」
を構成したことである。
【発明の効果】
【０００７】
本発明においては、（a）家具が設置される部屋が所定の縮尺率で区画表示されたパネルと、(b)実寸のベッドを前記縮尺率と同一の縮尺率で体現し、本体部及び前記本体部内に出没可能に収容されて前記本体部からの突出度が実際のベッド寸法を表示する表示体を有し、前記区画表示内に着脱自在に貼付されるベッド模型と、(c)ドアの開閉状態を前記縮尺率と同一の縮尺率で体現し、前記区画表示内に着脱自在に貼付されるドア模型とを備える、家具レイアウト表示装置を構成したので、部屋の広さとドアの位置さえわかっておれば、その部屋に設置できるベッドの最大寸法を即刻知ることができるので、家具店等において、客をしてベッドの即時購入の意思決定を慫慂できる。しかして、ドアの位置やドアの開閉状態を失念して（あるいは考慮にいれないで）ベッドを購入した場合は、他の家具の移動を余儀なくされることが少なくないが、この家具レイアウト表示装置を用いれば、ベッドとドアの相対関係を、具体的な間取り図を準備せずに検認できるので、汎用性に富む。
【発明を実施するための最良の形態】
【０００８】
以下、本発明の家具レイアウト表示装置を具体化した一実施の形態を、図面を参照して詳細に説明する。
【０００９】
図１において、家具レイアウト表示装置マットレス１０は、パネル２０を備える。パネル２０は、樹脂シート２２及び鉄板（図示略）の２層構造になっている。
【００１０】
樹脂シート２２上には、４畳半の部屋を示す区画３１、６畳の部屋を示す区画３２、８畳の部屋を示す区画３３、１０畳の部屋を示す区画３４及び１２畳の部屋を示す区画３５が線画で表示されている。しかして、区画３１〜３５は矩形をなしており、区画３１〜３５は、各左辺、底辺並びに左辺と底辺の交点が重畳するような態様で、表示される。つまり、１２畳の部屋を示す区画３５の内部に、４畳半の部屋を示す区画３１、６畳の部屋を示す区画３２、８畳の部屋を示す区画３３、１０畳の部屋を示す区画３４が描写される。区画３１〜３５は、実際の家具が配置される部屋の広さを所定の縮尺率で表示されたものである。このようなパネル１０の上に、図２に示されるように、ベッド模型４０やドア模型５０を適宜貼付して、部屋の実情に応じて、ベッド配置を構想することが出来る（この点、後で詳しく述べる）。
【００１１】
ベッド模型４０は、実寸のベッドを前記したような部屋の縮尺率と同一の縮尺率で体現したものである。ベッド模型４０は、図３〜図５に示されるように、本体部４１と、本体部４１内に出没可能に収容されて本体部４１からの突出度が実際のベッド寸法を表示する表示体４２と、本体部４１の底面に固着されたマグネットプレート４３とから構成される。表示体４２が完全に本体部４１内に収容されているときは、ベッド模型４０は、ダブルベッドを体現する。マグネットプレート４３は、パネル２０の鉄板に吸引されるので、ベッド模型４０がパネル２０の表面に着脱自在に貼付されることになる。
【００１２】
ベッド模型４０の本体部４１には、その一方の長側部において開口部４４が形成されており、この開口部４４を介して、表示体４２が出没するようになっている。表示体４２の一方側から中心部の手前にかけて、実際のベッドの寸法仕様（寸法名称及び実寸数値）が段階的に表示されており、開口部４４に最も近い表示が、実際のベッド寸法を表示するようになっている。しかして、表示体４２の中心部から他方側に少し寄った箇所には、ピン４５が殖設されており、このピン４５は、本体部４１の上側に刻設された長溝４６を通過した後、ツマミ４７に固定される。このツマミ４７を長溝４６に沿って操作すれば、表示体４２の本体部４１に対する出没度を調整できる。
【００１３】
再度、図２を参照する。ベッド模型４０が４畳半の部屋を体現する区画３１に、壁面３１Aに沿って貼付した場合、表示体４２はドア模型５０と干渉しない限り、本体部４１から引出可能となる。この最大引出がなされた場合の、開口部４４に最も近い表示が示すサイズのベッドが、設置できる最大のものとなる。
【００１４】
部屋の広さとドアの位置さえわかっておれば、その部屋に設置できるベッドの最大寸法を即刻知ることができるので、家具店等において、客をしてベッドの即時購入の意思決定を慫慂できる。ドアの位置やドアの開閉状態を失念して（あるいは考慮にいれないで）ベッドを購入した場合は、他の家具の移動を余儀なくされることが少なくないが、この例で示されるように、ベッドとドアの相対関係を検認できるので、かような不具合の発生を未然に防止することが出来る。
【図面の簡単な説明】
【００１５】
【図１】本発明の一実施の形態に係る家具レイアウト表示装置のパネルの平面図である。
【図２】図１のパネルに模型を貼着した時の使用状態を示す平面図である。
【図３】ベッド模型の本体部から表示体が引き出されたときの平面図である。
【図４】図３のA-A線に沿う断面図である。
【図５】ベッド模型の表示体単体の平面図である。
【符号の説明】
【００１６】
１０：家具レイアウト装置
２０：パネル
２２：樹脂シート
２４：開口部
３１−３５：区画
４０：ベッド模型
４１：本体部
４２：表示体
４３：マグネットプレート
４４：開口部
４５：ピン
４６：長溝
４７：ツマミ
５０：ドア模型
【図１】
2008026957.tif 000003
【図２】
2008026957.tif 000004
【図３】
2008026957.tif 000005
【図４】
2008026957.tif 000006
【図５】
2008026957.tif 000007